(57)【特許請求の範囲】
【請求項１】
表面から裏面に貫通する複数の生物出入孔を有し且つその裏面を護岸の接水面に所要間隔で対向させて設置するパネル材、前記パネル材裏面の生物出入孔の周囲に密着させて出入孔に連なる袋状空間を形成するように取り付けたポケット、及び前記袋状空間内に充填封入した裏込め材を備えてなる生物共生用護岸パネル材。
【請求項２】
請求項１のパネル材において、前記パネル材と護岸との間に両者を一体化させるコンクリート、土その他の充填材を埋め込んでなる生物共生用護岸パネル材。
【請求項３】
請求項２のパネル材において、前記パネル材の裏面に、前記充填材中に埋め込んで固定する突起部を設けてなる生物共生用護岸パネル材。
【請求項４】
請求項１から３の何れかのパネル材において、前記ポケットの上端に封止可能な裏込め材投入口を設けてなる生物共生用護岸パネル材。
【請求項５】
請求項１から４の何れかのパネル材において、前記ポケットをゴム製、合成樹脂製、布製、紙製、木材製、又は金属製としてなる生物共生用護岸パネル材。
【請求項６】
請求項１から５の何れかのパネル材において、前記ポケットをパネル材の各生物出入孔の周囲を個別に覆うように取り付け又は２以上の生物出入孔の周囲を共通に覆うように取り付けてなる生物共生用護岸パネル材。
【請求項７】
請求項１から６の何れかのパネル材において、前記ポケットの少なくとも一部の袋状空間内に生物出入孔の口径よりも小粒径の裏込め材を充填封入し、そのポケットの袋状空間に連なる生物出入孔を一時的に閉塞する仮栓を設けてなる生物共生用護岸パネル材。
【請求項８】
流水と接する護岸、表面から裏面に貫通する複数の生物出入孔を有し且つその裏面を前記護岸の接水面に所要間隔で対向させて設置したパネル材、前記パネル材裏面に出入孔の周囲に密着させて出入孔に連なる袋状空間を形成するように取り付けたポケット、前記袋状空間内に充填封入した裏込め材、及び前記パネル材と護岸との間に埋め込んで両者を一体化するコンクリート、土その他の充填材を備えてなる生物共生型護岸。
【請求項９】
請求項８の護岸において、前記パネル材の裏面に、前記充填材中に埋め込んで固定する突起部を設けてなる生物共生型護岸。
【請求項１０】
請求項８又は９の護岸において、前記護岸を岸に沿って打ち込んだ鋼管矢板又は水平断面が凹凸の鋼矢板とし、前記パネル材裏面のポケットの突出が鋼管矢板の鋼管継ぎ手部又は鋼矢板の凹部と嵌合するように矢板とパネル材との対向位置を揃えてなる生物共生型護岸。
【請求項１１】
請求項８から１０の何れかの護岸において、前記パネル材の天端を前記護岸の天端以上の高さとし、護岸を充填材中に埋設してなる生物共生型護岸。
【請求項１２】
請求項８から１１の何れかの護岸において、前記パネル材の接水面側の水底に、潮間帯又は潮間帯以下に窪みのある又は窪みのない平場を有する階段状構造を設けてなる生物共生型護岸。
【請求項１３】
請求項１２の護岸において、前記階段状構造を、石積構造又は窪みのある又は窪みのない頂面を有する台座の積層構造としてなる生物共生型護岸。
【発明の詳細な説明】
【技術分野】
【０００１】
本発明は生物共生用護岸パネル材及び生物共生型護岸に関し、とくに近隣水域で生活する小動物の生息場所を確保してその共生・定着を図る生物共生用護岸パネル材及びそのパネル材を用いた生物共生型護岸に関する。
【背景技術】
【０００２】
従来、海や河川、運河、水路等の流水と接する護岸や桟橋、橋台、橋脚等の構造物（以下、これらを纏めて単に護岸という）の多くは、鋼矢板やコンクリート矢板、コンクリートパネル・ブロック等を用いて建設・構築されてきた。しかし、近年は、そのような護岸によって近隣水域の生物の生息環境が失われて生態系が影響を受ける問題が指摘され、新規に構築する場合は環境や生態系に与える影響の小さい護岸とすることが求められている。また、従来工法で構築された鋼矢板製の護岸に生物の生息環境を創出・回復する方法として、鋼矢板の接水面の凹部に透水性の蓋体（穴開き鋼板やエキスパンドメタル等）を取り付け、鋼矢板と蓋体とで囲まれた空間に砕石、礫その他の裏込め材を充填して生物の生息空間とする工法等が提案されている（特許文献１〜４参照）。
【０００３】
また、従来工法で構築された既存護岸が老朽化又は劣化して補修や補強の必要が生じた場合に、既存護岸の前面（接水面）側に生物共生を図るための新たな護岸を造成することも提案されている。例えば、既存護岸を簡易的に補強する場合に、既存護岸の前面に鋼矢板で連壁を造り、既存護岸と鋼矢板との間の空間又は上述した鋼矢板の凹部の空間に砕石等の裏込め材を充填して生物の生息空間とする。ただし、このように鋼矢板の周辺空間に裏込め材を配置する工法では、近隣水域の生態系にとって重要な生物、とくに高次の動物の餌となりうるカニやエビ、ゴカイ等の護岸内部の空間を利用する生物の定着を図ることができず、近隣水域に多様性に富んだ生態系を創造・回復することは難しい。また、耐震性等を考慮して新たにコンクリート等を用いて強固な護岸を構築する場合には適用することができない。
【０００４】
これに対し本発明者らは、コンクリート護岸等においても生態系で重要な小動物の共生・定着を図ることができる生物共生型護岸構造を開発し、特許文献５〜６に開示した。この護岸構造は、護岸の前面に空隙を介してパネル材を取り付け、パネル材と護岸との間の空隙に生物のすみかとなる栗石、砂、土砂、シルト、良質土、貝殻、コンクリート廃材等の裏込め材を詰め込んだものである。パネル材の表面（接水面）には多数の細かい窪みのある凹凸石積模様が形成され、その石積模様の凹部に表面から裏面に貫通する生物出入孔が穿たれている。石積模様のひさし状凸部が生物出入孔に比較的広い日陰部分を作ると共に雨水の流入を防ぎ、生物出入孔を小動物の生息に適した乾燥しにくい環境に維持する。また、生物出入孔からの流水の適度な出入によって裏込め材が湿潤し、保温された状態となる。カニやエビ、ゴカイ等の小動物は、パネル材の表面の細かい窪みを利用して這い上がり、生物出入孔を介して流水側から裏込め材に入り込み、裏込め材の隙間を生息場所として定着する。
【０００５】
本発明者らは、特許文献５〜６に提案した護岸構造を実際に東京湾沿岸の既設コンクリート護岸に適用したところ、護岸にカニ、ゴカイ等を共生・定着させる共に護岸の近隣水域においてこれらを餌とするハゼやウナギ等の数を増やすことができ、提案した護岸構造が多様性に富んだ水陸境界域の創造・回復に有効であることを確認することができた。例えば従来工法で構築された既存護岸を補修・補強する際に、既存護岸の前面に新たな護岸を構築すると共に上述したパネル材及び裏込め材を付加して生物共生型護岸構造とすれば、従来工法の護岸によって失われた近隣の多様性に富んだ生態系を創造・回復することが期待できる。
【先行技術文献】
【特許文献】
【０００６】
【特許文献１】実開平７−０３４０３１号公報
【特許文献２】特開平１１−２２９３４２号公報
【特許文献３】特開平１１−２２９３４３号公報
【特許文献４】特開平２００３−２５３６４７号公報
【特許文献５】特開平１１−２９３６４６号公報
【特許文献６】特開２０００−３３６６２５号公報
【特許文献７】特開平１１−２９３６４３号公報
【発明の概要】
【発明が解決しようとする課題】
【０００７】
しかし、上述したように既存護岸を新たな護岸に補修・補強した上でパネル材及び裏込め材を付加して生物の共生・定着を図る工法は、通常の補修・補強に加えて生物定着機能を付加する２段階の工事が必要となるため工程が長くなり、それに応じて工事費用が嵩む問題点がある。既存の護岸のなかには築後２０年以上経過して老朽化や劣化の進んだものがあり、耐震性も含めて補修や補強工事が必要とされるものも増えているが、そのような既存護岸の補修・補強工事に際して工程が長く費用も嵩む工法を採用することは、たとえ生物の共生・定着が図れるという付加価値があっても避けられる傾向にある。既存護岸の生物共生型護岸への移行を促進して多様性のある生態系の創造・回復を図るためには、上述した生物共生型護岸構造の有効性を損なうことなく、通常の補修・補強工事と同程度の工期・費用で施工できる生物共生型護岸の工法を開発する必要がある。
【０００８】
そこで本発明の目的は、短い工期で経済的に構築できる生物共生型護岸及びその護岸に適した生物共生用護岸パネル材を提供することにある。
【課題を解決するための手段】
【０００９】
図１の実施例を参照するに、本発明による生物共生用護岸パネル材は、表面１０ａから裏面１０ｂに貫通する複数の生物出入孔１２を有し且つその裏面１０ｂを護岸３（又は２、図２及び図６参照）の接水面に所要間隔ｄで対向させて設置するパネル材１０、パネル材１０の裏面１０ｂの生物出入孔１２の周囲に密着させて生物出入孔１２に連なる袋状空間を形成するように取り付けたポケット１４、及びポケット１４の袋状空間内に充填封入した裏込め材１５を備えてなるものである。
【００１０】
好ましくは、パネル材１０と護岸３（又は２）との間に両者を一体化させるコンクリート１８ａ（図２参照）、土１８ｂ（図６参照）その他の充填材１８を埋め込む。パネル材１０の裏面１０ｂには、図３に示すように、充填材１８中に埋め込んで固定する突起部１０ｅを設けることができる。ポケット１４は、ゴム製、合成樹脂製、布製、紙製、木材製、又は金属製等とすることができる。ポケット１４の上端には、図１（Ａ）に示すように、封止可能な裏込め材投入口１４ａを設けることができる。また、図１に示すように、ポケット１４をパネル材１０の各生物出入孔１２の周囲を個別に覆うように取り付けることができるが、図３に示すようにポケット１４をパネル材１０の２以上の生物出入孔１２の周囲を共通に覆うように取り付けることもできる。望ましくは、図１（Ａ）の楕円Ｄ部分に示すように、ポケット１４の少なくとも一部の袋状空間内に生物出入孔１２の口径よりも小粒径の裏込め材１６を充填封入し、そのポケット１４の袋状空間に連なる生物出入孔１２を一時的に閉塞する仮栓１７を設ける。
【００１１】
また、図１及び図２の実施例を参照するに、本発明による生物共生型護岸は、流水と接する護岸３（又は２、図２及び図６参照）、表面１０ａから裏面１０ｂに貫通する複数の生物出入孔１２を有し且つその裏面１０ｂを護岸３（又は２）の接水面に所要間隔ｄで対向させて設置したパネル材１０、パネル材１０の裏面１０ｂの生物出入孔１２の周囲に密着させて生物出入孔１２に連なる袋状空間を形成するように取り付けたポケット１４、ポケット１４の袋状空間内に充填封入した裏込め材１５、及びパネル材１０と護岸３（又は２）との間に埋め込んで両者を一体化させるコンクリート１８ａ（図２参照）、土１８ｂ（図６参照）その他の充填材１８を備えてなるものである。
【００１２】
例えば、図１及び図３に示すように、護岸３を鋼管矢板３ａ又は水平断面が凹凸の鋼矢板３ｃとし、パネル材１０の裏面１０ｂのポケット１４の突出が鋼管矢板３ａの鋼管継ぎ手部３ｂと嵌合するように矢板３ａとパネル材１０との対向位置を揃え、又は図５（Ａ）に示すようにパネル材１０の裏面１０ｂのポケット１４の突出が鋼矢板３ｃの凹部３ｄと嵌合するように矢板３ｃとパネル材１０との対向位置を揃えることができる。図２に示すように、パネル材１４の天端を護岸３の天端以上の高さとし、護岸３の上方にも充填材１８を埋め込んで護岸３を充填材１８中に埋設してもよい。
【００１３】
好ましくは、図７に示すように、パネル材１０の表面１０ａ側の水底Ｅに、潮間帯又は潮間帯以下に窪み２２のある又は窪み２２のない平場２１を有する階段状構造２０を設ける。階段状構造２０は、例えば図７（Ａ）、図７（Ｃ）又は図７（Ｅ）に示すような窪み２２のある又は窪み２２のない平場２１を設けた石積構造とし、或いは図７（Ｇ）に示すように窪み２２のある又は窪み２２のない頂面２５を有する台座２４ａ、２４ｂ、２４ｃの積層構造とすることができる。
【発明の効果】
【００１４】
本発明による生物共生用護岸パネル材及び生物共生型護岸は、複数の生物出入孔１２を有するパネル材１０の裏面１０ｂの生物出入孔１２の周囲に生物出入孔１２に連なる袋状空間を形成するようにポケット１４を密着させて取り付け、そのポケット１４の袋状空間内に裏込め材１５を充填封入すると共に、パネル材１０の裏面１０ｂを護岸３の接水面に所要間隔ｄで対向させて設置し、パネル材１０と護岸３との間に充填材１８を埋め込んで両者を一体化させるので、次の有利な効果を奏する。
【００１５】
（イ）ポケット１４及び裏込め材１５が付加されたパネル材１０を一種の型枠として用いることにより、パネル材１０と護岸３との間に充填材１８を埋め込んで両者を一体化する１段階の工事で生物共生型護岸を施工することができ、２段階の工事を必要とする従来の生物共生型護岸の施工法に比して工期の短縮、工費の削減を図ることができる。
（ロ）また、パネル材１０の裏面１０ｂにポケット１４が取り付けてあるので、裏込め材１５を生物の定着にとって適切な位置に配置することができ、パネル材１０の裏側全体に裏込め材１５を詰め込む従来工法に比して、裏込め材１５の施工を簡単化すると共に裏込め材１５の使用量を削減することができる。
（ハ）生物生息空間となるポケット１４を充填材１８中に埋め込むので、そのポケット１４の突出に応じた間隔ｄを護岸３とパネル材１０との間に確保する必要はあるが、例えば凹部（例えば、鋼管矢板３ａの継ぎ手部３ｂ）を有する矢板３を用いてポケット１４の突出を嵌合させることにより、護岸３に対するパネル材１０の突き出し幅（護岸法線の変更幅）を小さく抑えることができる。
（ニ）新たに生物共生型護岸を構築する場合だけでなく、例えば補修や補強が必要とされる既存護岸に生物共生用護岸パネル材を適用し、既設護岸を補修・補強すると同時に生物の共生・定着機能を付与することも可能である。
【図面の簡単な説明】
【００１６】
以下、添付図面を参照して本発明を実施するための形態及び実施例を説明する。
【図１】本発明の生物共生用護岸パネル材の一実施例の説明図である。
【図２】本発明の生物共生型護岸の一実施例の説明図である。
【図３】本発明の生物共生用護岸パネル材の他の実施例の説明図である。
【図４】本発明の生物共生型護岸の構築工法の説明図である。
【図５】生物共生型護岸パネル材と矢板との対向位置揃え方法の説明図である。
【図６】本発明の生物共生型護岸の他の実施例の説明図である。
【図７】生物共生用護岸パネル材の前面側水底に設ける階段状構造の説明図である。
【発明を実施するための形態】
【００１７】
図１及び図３は、本発明の生物共生用護岸パネル材１０の実施例を示す。図示例のパネル材１０は、例えば幅２ｍ、高さ３．５ｍ、厚さ１０〜２０ｃｍ程度のコンクリート二次製品（防錆鉄筋を使用したプレキャストパネル等）であり、表面１０ａには凹凸石積模様１１を形成し、その石積模様の凹部に表面１０ａから裏面１０ｂに貫通する複数の生物出入孔１２を形成したものである。特許文献５及び６に開示されたパネル材と同様に、石積模様１１の表面にはカニ等の生物の足場及び／又は藻類等の植物の付着場となる多数の小さな窪みを形成することが望ましく、生物出入孔１２は雨水が浸入しにくい形状（例えば中間に縮径部を有する出入孔）とすることが望ましい。ただし、パネル材１０の材質、形状、大きさは図示例に限定されるものではなく、例えば図４に示すように、パネル材接合部１０ｃ、１０ｄを介して複数枚のパネル材１０を幅方向及び／又は高さ方向に連結して形状、大きさを自由に調整することができる。
【００１８】
護岸パネル材１０の裏面１０ｂには、各生物出入孔１２の周囲に密着して出入孔１２に連なる袋状空間を形成するようにポケット１４を取り付ける。このポケット１４は、袋状空間内に生物の生息に適した裏込め材１５を充填封入し、後述するようにパネル材１０の裏側にコンクリートや土等の充填材１８を埋め込む際に、生物出入孔１２の裏側に充填材１８の充填されない袋状空間を確保するためのものである。ポケット１４の形状は、図１のように各生物出入孔１２の周囲を個別に覆うもの、或いは図３のように２以上の生物出入孔１２の周囲を共通に覆うものとすることができる。生物出入孔１２を覆うポケット１４は、図３に示すように、ポケット１４の底面近傍を出入孔１２の少なくとも１つ（例えばパネル材１０の最低位の出入孔１２）と位置合せして取り付け、更にポケット１４の底面を当該出入孔１２に向かって低くなるように傾斜させることにより、ポケット１４内の底面に堆積した泥等を当該出入孔１２から排出可能とすることが望ましい。図１のような個別ポケット１４は、生物出入孔１２毎に異なる種類の裏込め材１５を充填封入する場合に適しているが、裏込め材１５の充填作業が若干面倒になる。これに対し図３のような共通ポケット１４とすれば、複数の生物出入孔１２に共通の裏込め材１５を充填封入することになるが、裏込め材１５の充填作業の効率化が図れる。図１の個別ポケット１４と図３の共通ポケット１４とを、パネル材１０の裏面１０ｂに適宜分散して配置することも可能である。
【００１９】
ポケット１２の材質は、充填材１８の透過しないものであって袋状空間内に生息させる生物の嫌わないものであればとくに制限はなく、例えば様々な形状の裏込め材１５を充填できるように可撓性のあるゴム製、合成樹脂製、布製、又はダンボール等の紙製とすることができる。可撓性のあるポケット１２は、裏込め材１５を充填するまで畳み込んでおくことができるので、施工前のパネル材１０の搬送・保管時にスペースをとらない利点もある。ただし、ポケット１２を剛性の木材製、プラスチック製とすることも可能であり、防錆処理されていればポケット１２を金属製としてもよい。
【００２０】
ポケット１４の周縁は、袋状空間内に充填材１８が浸入しないように生物出入孔１２の周囲に密着して接着剤等で固定するが（図１及び図３の点線ハッチングで示した部分を参照）、図１（Ａ）に示すように上端の一部に封止可能な投入口１４ａを設けることが望ましい。例えば工場等でパネル材１０を製作する際に裏面１０ｂのポケット１４を併せて設置・固定するが、ポケット１４の一部に封止可能な投入口１４ａを設けておくことにより、パネル材１０を護岸の施工現場に搬入したのち、現場で生息する生物の特性の応じた裏込め材１５をポケット１４に充填することが可能となる。ただし、施工現場で裏込め材１５を調整する必要のない場合は、予め工場等でポケット１４内に裏込め材１５を充填封入し、パネル材１０とポケット１４と裏込め材１５とを一体型の製品としてもよい。
【００２１】
ポケット１４に埋設封入する裏込め材１５は、生息させる生物の特性に応じて例えば土砂、砂利、砕石、貝殻、コンクリート廃材等を適宜選択することができ、とくに天然のカルシウムを主成分とする素材が望ましい。また、生物の生育に適した現地浚渫土等を含めてもよい。本発明者の実験によれば、図３のような共通ポケット１４に様々な大きさの砕石と貝殻（カキ殻）とからなる裏込め材３を充填封入しておけば、その裏込め材３の間隙に入り込むカニやエビ、ゴカイ等の小動物に生息場所を提供することができる。加えて、貝類、エビ・カニ等の甲殻類、サンゴ等のカルシウムで外骨格を形成する生物に対し、貝殻や粒状石灰石等のカルシウムを主成分とする裏込め材１５を用いることで、護岸周辺の水中にカルシウムを溶出させて供給し、生物の骨格形成を促すことができる。また、炭酸カルシウム（ＣａＣＯ３）の外骨格を形成する際、カルシウム（Ｃａ＋）とともに水中に溶存する二酸化炭素（ＣＯ３−）も生物体内に取り込まれるので、地球温暖化に伴う水域の酸性化の防止にもつながる効果が期待できる。図１のように個別ポケット１４を設けた場合は、生物出入孔１２毎に高さ（潮位）に応じた異なる種類の裏込め材１５を充填封入しておくことにより、更に多様な生物に提供することができる。
【００２２】
また、図１（Ａ）の楕円Ｄ部分に示すように、少なくとも一部のポケット１４に連なる生物出入孔１２を仮栓１７で一時的に閉塞したうえで、そのポケット１４の袋状空間内に生物出入孔１２の口径よりも小粒径の裏込め材１６を充填封入し、パネル材１０の裏側に充填材１８を打設したのち仮栓１７を解除して裏込め材１６を生物出入孔１２から流出させ又は吸い出すことにより、例えばハゼやウナギ等の生物の生息空間に適した裏込め材のない空隙を充填材１８中に形成することも可能である。
【００２３】
図１及び図３の護岸パネル材１０は、例えば図５に示すように、既存護岸３の前面（接水面）に所要間隔ｄで対向させて係止部材１３で係止し、パネル材１０を型枠として護岸３との間にコンクリート１８ａ等の充填材１８を埋め込むことにより護岸３と一体化させることができる。また、図３に示すようにパネル材１０の裏面１０ｂの底部に突起部１０ｅを設け、例えば図６に示すように既設護岸２の前面（接水面）の水底又は基礎３０上に突起部１０ｅを載置したうえで、護岸２との間に土１８ｂ等の充填材１８を埋め込んでパネル材１０と護岸２とを一体化させることができる。すなわち、既存護岸２、３を補修・補強した上でパネル材１０及び裏込め材１５を付加する２段階の工事ではなく、パネル材１０を型枠として充填材１８を埋め込む１段階の工事で既設護岸２、３を補修・補強すると同時に生物の共生・定着機能を付与することが可能であり、通常の補修・補強工事と同程度の工期・費用で既存護岸２、３を生物共生型護岸にすることができる。
【００２４】
図２は、劣化補修又は耐震補強を必要とする既存護岸２の前面（接水面）側に、図１又は図３の護岸パネル材１０を用いて新たに構築した本発明の生物共生型護岸１の実施例を示す。以下、図４の流れ図を参照して、図２の生物共生型護岸１の施工手順を説明する。先ず図４（Ａ）に示すように、既存護岸２の前面の水底を掘削し、必要な場合は地盤改良等を施したのち、既存護岸２の前面に沿って鋼管矢板３ａ等を打ち込んで新たな護岸３を築造する。このような矢板護岸３の施工は、既設護岸２の流水側からクレーン付き台船等を用いて行うことができる。打ち込んだ矢板３ａと既存護岸２との間の空間には適当な護岸裏込め工５を施す。矢板３ａに対する防食処理は、後述するようにパネル材１０及びコンクリート１８ａで表面を被覆するので基本的には不要であるが、パネル材１０及びコンクリート１８ａで被覆されない干潮汀線以下の２〜３ｍの部分には重防食塗装４を施すことが望ましい。また、矢板３ａの前面側の掘削した水底には、捨石基礎３０を設置することが望ましい。なお、図２の実施例では、矢板３ａの上方に既存護岸２の天端に連なる天板７を設けて緑地や遊歩道として利用するため、矢板３ａの天端を既存護岸２の天端よりも低い位置に揃えて打ち込んでいる。
【００２５】
次いで、図４（Ｂ）に示すように矢板護岸３の表面（接水面）に護岸パネル材１０を所要間隔ｄで対向させて平行に係止し、図４（Ｃ）に示すようにパネル材１０の裏面１０ｂのポケット１４内に上端から砕石、貝殻（カキ殻）等の裏込め材１５、１６を充填封入する。或いは、この施工手順を逆転させ、護岸の隣接域でパネル材１０のポケット１４に裏込め材１５、１６を充填封入したうえで、そのパネル材１０を矢板護岸３の前面に係止してもよい。矢板護岸３とパネル材１０との間にはポケット１４の突出に応じた間隔ｄを確保しなければならないが、例えば図１（Ｃ）及び図３（Ｃ）に示すように鋼管矢板３ａを用いた場合は、ポケット１４の突出が鋼管矢板３ａの鋼管継ぎ手部３ｂと嵌合するように鋼管矢板３ａとパネル材１０との対向位置を揃えることにより、生物を生息させるに充分な大きさのポケット１４の袋状空間を確保しつつ、護岸３に対するパネル材１０の突き出し幅（護岸法線の変更幅）を小さく抑えることができる。このような位置揃えは、例えば工場等でパネル材１０を製作する際に、鋼管矢板３ａの径（継ぎ手部３ｂの間隔）に応じて生物出入孔１２及びポケット１４の設置位置を調整することにより比較的容易に対応可能である。
【００２６】
また、図５（Ａ）のように水平断面が凹凸の鋼矢板（Ｕ型鋼矢板、Ｚ型鋼矢板等）３ｃを用いた場合も、ポケット１４の突出が鋼矢板３ｃの凹部３ｄと嵌合するように矢板３ｃとパネル材１０とを位置揃えすることで、護岸３に対するパネル材１０の突き出し幅を小さく抑えることが可能である。図５（Ｂ）のような直線形鋼矢板３ｅを用いた場合は、パネル材１０のポケット１４を鋼矢板３ｅに押し当てることにより、突き出し幅を最小限に抑えることができる。更に、鋼管矢板３ａを用いた場合は、必要に応じて鋼管の径を小さくすることによって突き出し幅を調整することも可能である。
【００２７】
なお、図１（Ｃ）及び図３（Ｃ）の実施例では、護岸３の前面の地盤又は水底に複数本のＨ鋼等の係止杭１３を打ち込み、腹起こし材等で係止杭１３を固定したうえで、一対の係止杭１３の間にパネル材１０の幅方向両端の溝を嵌合させて落とし込むことにより、パネル材１０を護岸３に対向させて係止している。ただし、パネル材１０の係止方法はこの実施例に限定されるものではなく、例えば図４（Ｂ）に示すように鋼管矢板３ａ等にスタッド９を溶接等によって取り付け、そのスタッド９にパネル材１０を係止して護岸３と対向させてもよい。
【００２８】
護岸３の前面に係止した護岸パネル材１０のポケット１４に裏込め材３を充填封入したのち、図４（Ｄ）に示すように、そのパネル材１０を型枠として矢板護岸３との間にコンクリート１８ａを打設することにより、図４（Ｅ）に示すように矢板護岸３とパネル材１０とが一体化された生物共生型護岸１を構築する。好ましくは、図２に示すようにパネル材１０の天端を矢板護岸３の天端以上の高さとし、護岸３の裏側（岸側）に仮設型枠１９（図１（Ｃ）及び図３（Ｃ）参照）を設けたうえで、パネル材１０と仮設型枠１９との間にコンクリート１８ａを打設して護岸３をコンクリート１８ａ中に埋設する。矢板護岸３をコンクリート１８ａ中に埋設することにより、矢板護岸３の海水等による腐食を防止すると共に、護岸３の上方を既存護岸２の天端に連なる緑地や遊歩道等として利用することが可能となる。図示例の符号７及び８は、遊歩道とする天板及びその転落防止柵を示す。仮設型枠１９を撤去したコンクリート１８ａと既設護岸２との間の空間には適当な整理工６を施す。
【００２９】
本発明の生物共生型護岸１は、ポケット１４及び裏込め材１５が付加された生物共生用護岸パネル材１０を護岸３の接水面に設置し、そのパネル材１０を一種の型枠として護岸３との間にコンクリート１８ａ等の充填材を埋め込む１段階の工事によって護岸３とパネル材１０とが一体化された生物共生型護岸を施工することができ、２段階の工事を必要とする従来の施工法に比して工期の短縮、工費の削減を図ることができる。また、パネル材１０に取り付けたポケット１４に裏込め材１５を充填封入するので、パネル材１０の裏側全体に裏込め材１５を詰め込む従来工法に比して裏込め材１５の施工を簡単化することができ、裏込め材１５の使用量も削減することができる。更に、新たに生物共生型護岸を構築する場合だけでなく、既設護岸３を補修・補強する工事に併せて同時に生物の共生・定着機能を付与することが可能であり、既存護岸の生物共生型護岸への移行を促進して多様性のある生態系の創造・回復を図るためにも有効利用が期待できる。なお、本発明で用いるコンクリート１８ａには、流動化処理土、軽焼マグネシアを主成分とする土壊硬化剤組成物、その他のセメント系固結性流動物を含めることができる。
【００３０】
こうして本発明の目的である「短い工期で経済的に構築できる生物共生型護岸及びその護岸に適した生物共生用護岸パネル材」の提供が達成できる。
【実施例１】
【００３１】
図６は、海や湖沼に桟橋状に突出した既存護岸２を補修・補強する工事に際して、併せて生物の共生・定着機能を付与するため、図３の護岸パネル材１０を用いて構築した本発明の生物共生型護岸１の他の実施例を示す。この工事においても、図４（Ｂ）の場合と同様に、護岸２の片側表面（接水面）の水底を掘削し、必要に応じて捨石基礎３０を設置したうえで、護岸２の表面と所要間隔ｄで対向するように護岸パネル材１０を設置する。図示例のパネル材１０は、図３に示すように裏面１０ｂの底部に充填材１８中へ埋め込んで固定する突起部１０ｅを有しており、その突起部１０ｅを掘削した水底又は基礎３０上に載置することでパネル材１０を安定的に護岸３と平行に対向させることができる。また、パネル材１０から突出する突起部１０ｅの角度を調整する（例えば鋭角とする）ことにより、護岸３に対してパネル材１０を傾斜させることができる。
【００３２】
次いで、図４（Ｃ）〜（Ｄ）と同様に、設置したパネル材１０の裏面１０ｂのポケット１４内に適当な裏込め材１５を充填封入したのち、パネル材１０と護岸２との間に土１８ｂを埋め込み、パネル材１０の突起部１０ｅを土１８ｂ中に埋め込むことにより、護岸２と一体化された生物共生型護岸１を構築する。図示例のように、埋め込んだ土１８ｂの上方に更に天板７を設置し、遊歩道とすることもできる。図６の生物共生型護岸１も、ポケット１４及び裏込め材１５が付加された生物共生用護岸パネル材１０を護岸２の接水面に設置して土１８ｂを埋め込む１段階の工事によって施工することができ、生物共生型護岸の工期の短縮、工費の削減を図ることができる。
【実施例２】
【００３３】
図２の実施例では、既存護岸２の前面（接水面）の水底に捨石基礎３０を敷設し、その捨石基礎３０に護岸パネル材１０を打ち込んで設置すると共に、パネル材１０の前面側の水底Ｅに、潮間帯（満潮位ＨＷＬと干潮位ＬＷＬとの間の地帯）又は潮間帯以下に窪み２２のある又は窪み２２のない平場２１を有する階段状構造２０を設け、その水底の階段状構造２０と護岸パネル材１０とを含めた生物共生型護岸１としている。
【００３４】
従来から、護岸等の前面に潮位に応じて水面上に現れる潮だまりやテラス（干出干潟造成台）等を階段状に設け、その潮だまりやテラスを利用して護岸近隣の生物の多様性を図る工法が提案されている（特許文献７参照）。また、本発明者らは、上述した生物共生型護岸１の前面に階段状の潮だまりやテラスを一体的に構築すれば、護岸近隣の多様性に富んだ生態系を創造するために極めて有効であることを確認している。例えば図７（Ａ）に示すように、護岸１の前面の平均潮位ＭＷＬ前後に窪み２２を有する平場２１を設け、その窪み２２に砂泥２８等を載置して「干出干潟構造」２０ａとすれば、ゴカイ、二枚貝、カニ類等の砂泥質内で生活する生物の繁殖を図ることができる。また、図７（Ｃ）に示すように、平均潮位ＭＷＬ前後の干出干潟構造２０ａより低い部位に、水２９の溜まる窪み２２を有する平場２１を設けて「潮だまり構造」２０ｂとすれば、マハゼ、ウナギ、エビ、カニ類等の繁殖に有効である。更に、図７（Ｅ）に示すように、低潮位ＬＷＬ以下に窪み２２のない平場２１を設けて「かけ上がり」構造２０ｃとすれば、藻類の繁殖に伴う光合成により酸素生産が促進され、マハゼ、エビ、カニ類等の良好な生育環境とすることができる。
【００３５】
しかし、生物共生型護岸１の前面に干出干潟構造２０ａや潮だまり構造２０ｂを一体的に構築する従来の工法は、護岸１の構築工事を完了した上でその前面に石積構造を敷設して潮だまりやテラスを構築する必要があるので工期が長くなり、施工費用が嵩む原因となっていた。上述したように本発明によれば、生物共生型護岸１を短工期で構築することが可能であり、干出干潟構造２０ａや潮だまり構造２０ｂを含む生物共生型護岸１を従来工法に比して短時間で経済的に構築することが可能である。ただし、石積構造により潮だまりやテラスを施工する従来の施工方法では、通常の護岸の補修・補強工事と比べると工程が長く費用も嵩むものとならざるを得ない。
【００３６】
図２の実施例は、石積構造の干出干潟構造２０ａ、潮だまり構造２０ｂ、かけ上がり構造２０ｃに代えて、窪み２２のある又は窪み２２のない頂面２５を有する台座２４ａ、２４ｂ、２４ｃを用い、干出干潟や潮だまりを含む生物共生型護岸１の施工の工期の短縮、工費の削減を可能としたものである。例えば図７（Ｂ）に示すように、窪み２２のある頂面２５を有する台座（例えばコンクリート製の台座）２４を用い、その窪み２２に砂泥２８等を載置すれば、図７（Ａ）と同様の「干出干潟構造部材」２４ａとすることができる。また、図７（Ｄ）のように窪み２２のある頂面２５を有する台座２４を用いて図７（Ｃ）と同様の「潮だまり構造部材」２４ｂとし、図７（Ｆ）のように窪み２２のない頂面２５を有する台座２４を用いて図７（Ｅ）と同様の「かけ上がり構造部材」２４ｃとすることができる。このような台座２４ａ、２４ｂ、２４ｃは、施工する護岸前面の広さや水深等を考慮して、予め工場等でコンクリート等の製品として製作しておくことができる。また、台座２４ａ、２４ｂには適当な切欠き２６又は水抜き孔２７を設けて、従来の石積構造と同様の透水性を与えることも可能である。
【００３７】
図２の生物共生型護岸１は、例えば矢板３とパネル１０との間にコンクリート１８を打設する際（図４（Ｄ）参照）に、予め工場等で製作した台座２４ａ、２４ｂ、２４ｃの何れかを捨石基礎３０上の潮間帯又は潮間帯以下に望ましい部位に配置することにより、実質上１段階の工事で干出干潟や潮だまり、かけ上がりを含む生物共生型護岸１を施工することができ、実質的に通常の補修・補強工事と同程度の工期・費用で構築することができる。また、複数の台座２４ａ、２４ｂ、２４ｃを用いて、複数の干出干潟、潮だまり、かけ上がりを同時に施工することも可能である。更に、図７（Ｇ）及び図７（Ｈ）に示すように、適当な柱又は壁状の積層部材２４ｄを用いて複数の台座２４ａ、２４ｂ、２４ｃを任意に組み合わせて積層し、比較的狭い敷設面積上に干出干潟構造、潮だまり構造、かけ上がり構造を積み重ねて設置することにより、従来の石積構造では実現できなかった生物の生息環境を創出することも可能であり、既存護岸の生物共生型護岸への移行を促進して多様性のある生態系の創造・回復を図るために有効利用が期待できる。
【符号の説明】
【００３８】
１…生物共生型護岸            ２…既設護岸
３…護岸（矢板護岸）          ３ａ…鋼管矢板
３ｂ…鋼管継ぎ手部            ３ｃ…Ｕ型又はＺ型鋼矢板
３ｄ…凹部                    ３ｅ…直線形鋼矢板
４…防食塗装                  ５…護岸裏込め工
６…整理工                    ７…天板
８…転落防止柵                ９…スタッド
１０…パネル材                １０ａ…パネル材表面
１０ｂ…パネル材裏面          １０ｃ、１０ｄ…パネル材接合部
１０ｅ…突起部                １１…石積模様
１２…生物出入孔              １３…係止部材
１４…ポケット                １４ａ…投入口
１５…裏込め材                １６…小粒径の裏込め材
１７…仮栓                    １８…充填材
１８ａ…コンクリート          １８ｂ…土
１９…仮設型枠
２０…階段状構造              ２０ａ…干出干潟構造
２０ｂ…潮だまり構造          ２０ｃ…かけ上がり構造
２１…平場                    ２２…窪み
２４…台座                    ２４ａ…干出干潟構造部材
２４ｂ…潮だまり構造部材      ２４ｃ…かけ上がり構造部材
２４ｄ…積層部材              ２５…頂面
２６…切欠き                  ２７…水抜き穴
２８…砂泥                    ２９…水
３０…捨石基礎
【図１】
0005408725.tif 000002
【図２】
0005408725.tif 000003
【図３】
0005408725.tif 000004
【図４】
0005408725.tif 000005
【図５】
0005408725.tif 000006
【図６】
0005408725.tif 000007
【図７】
0005408725.tif 000008